(57)【要約】  【課題】構造の簡素化を図ることができる開閉装置を提供する。  【解決手段】開閉装置１は、挿入部６を側端部に有し開口部２を開閉する昇降可能な開閉体７を備える。開閉装置１は、開閉体７の挿入部６を案内する上下方向長手状の案内体３を備える。開閉体７の挿入部６の下端部には磁性体16を設ける。案内体３の下端部内側には開口部２の閉鎖時に磁性体16に吸着する磁石体を上下方向に移動調節可能に設ける。  【選択図】図１
2005126952.tif 000002
【特許請求の範囲】
【請求項１】
開口部を開閉する移動可能な開閉体と、
この開閉体を案内する案内体と、
前記開閉体および前記案内体のいずれか一方に設けられた磁性体と、
前記開閉体および前記案内体のいずれか他方に設けられ、前記開口部の閉鎖時に前記磁性体に吸着する磁石体と
を備えることを特徴とする開閉装置。
【請求項２】
磁性体および磁石体の少なくとも一方は、開閉体の移動方向に移動調節可能となっている
ことを特徴とする請求項１記載の開閉装置。
【請求項３】
挿入部を側端部に有し、開口部を開閉する昇降可能な開閉体と、
この開閉体の前記挿入部を案内する上下方向長手状の案内体と、
前記開閉体の前記挿入部の下端部に設けられた磁性体と、
前記案内体の下端部内側に上下方向に移動調節可能に設けられ、前記開口部の閉鎖時に前記磁性体に吸着する磁石体と
を備えることを特徴とする開閉装置。
【発明の詳細な説明】
【技術分野】
【０００１】
本発明は、開口部の閉鎖状態を適切に保持できるばかりでなく、構造の簡素化を図ることができる開閉装置に関するものである。
【背景技術】
【０００２】
従来、例えば開口部を開閉する昇降可能な開閉体と、開閉体を案内する上下方向長手状の案内体と、開閉体の下端部に突設された係合ピンと、案内体の下端部に回動可能に設けられ開口部の閉鎖時に係合ピンと係合するフックと、フックを所定方向へ付勢するスプリングとを備えた耐火スクリーン装置等の開閉装置が知られている（例えば、特許文献１参照）。
【特許文献１】特開平１１−１１４０８３号公報
【発明の開示】
【発明が解決しようとする課題】
【０００３】
しかしながら、上記従来の開閉装置のように開口部の閉鎖状態を保持するための閉鎖状態保持手段を係合ピン、フックおよびスプリング等にて構成する場合、構造の複雑化を招くおそれがある。
【０００４】
本発明は、このような点に鑑みなされたもので、開口部の閉鎖状態を適切に保持できるばかりでなく、構造の簡素化を図ることができる開閉装置を提供することを目的とする。
【課題を解決するための手段】
【０００５】
請求項１記載の開閉装置は、開口部を開閉する移動可能な開閉体と、この開閉体を案内する案内体と、前記開閉体および前記案内体のいずれか一方に設けられた磁性体と、前記開閉体および前記案内体のいずれか他方に設けられ、前記開口部の閉鎖時に前記磁性体に吸着する磁石体とを備えるものである。
【０００６】
そして、開口部の閉鎖時に磁石体を磁性体に吸着させることで開口部の閉鎖状態を適切に保持できるばかりでなく、構造の簡素化を図ることが可能である。
【０００７】
請求項２記載の開閉装置は、請求項１記載の開閉装置において、磁性体および磁石体の少なくとも一方は、開閉体の移動方向に移動調節可能となっているものである。
【０００８】
そして、磁性体および磁石体の少なくとも一方を開閉体の移動方向に移動調節することにより磁石体を磁性体に適切に吸着させることが可能である。
【０００９】
請求項３記載の開閉装置は、挿入部を側端部に有し、開口部を開閉する昇降可能な開閉体と、この開閉体の前記挿入部を案内する上下方向長手状の案内体と、前記開閉体の前記挿入部の下端部に設けられた磁性体と、前記案内体の下端部内側に上下方向に移動調節可能に設けられ、前記開口部の閉鎖時に前記磁性体に吸着する磁石体とを備えるものである。
【００１０】
そして、開口部の閉鎖時に磁石体を磁性体に吸着させることで開口部の閉鎖状態を適切に保持できるばかりでなく、構造の簡素化を図ることが可能であり、また、磁石体を上下方向に移動調節することにより磁石体を磁性体に適切に吸着させることが可能である。
【発明の効果】
【００１１】
請求項１記載の開閉装置によれば、開口部の閉鎖時に磁石体を磁性体に吸着させることで開口部の閉鎖状態を適切に保持できるばかりでなく、構造の簡素化を図ることができる。
【００１２】
請求項２記載の開閉装置によれば、磁性体および磁石体の少なくとも一方を開閉体の移動方向に移動調節することにより磁石体を磁性体に適切に吸着させることができる。
【００１３】
請求項３記載の開閉装置によれば、開口部の閉鎖時に磁石体を磁性体に吸着させることで開口部の閉鎖状態を適切に保持できるばかりでなく、構造の簡素化を図ることができ、また、磁石体を上下方向に移動調節することにより磁石体を磁性体に適切に吸着させることができる。
【発明を実施するための最良の形態】
【００１４】
本発明の開閉装置の一実施の形態を図面を参照して説明する。
【００１５】
図１ないし図４において、１は開閉装置で、この開閉装置１は、例えば火災が発生した際に開口部（例えばエレベータ前の空間部）２を閉鎖して延焼を防止する耐火スクリーン装置である。
【００１６】
開閉装置１は、互いに離間対向して位置する上下方向長手状で略中空状の左右一対の案内体（ガイドレール）３を備えている。
【００１７】
そして、両案内体３の上端部間には左右方向長手状で略箱状の収容ケース体４が配設され、この収容ケース体４内には、ばね（図示せず）を内蔵したドラム状の巻体５が左右方向の軸線を中心として回転可能に配設されている。
【００１８】
また、開閉装置１は、挿入部６を左右の両側端部に有しこれら両挿入部６が案内体３内に挿入された状態で案内体３にて移動方向である上下方向に案内されながら開口部２に沿って昇降して開口部２を開閉する昇降可能な略面状の開閉体（座板付きのスクリーン体）７を備えている。
【００１９】
開閉体７は、開口部２の閉鎖時には、巻体５からの巻戻しにより下端部が被当接部である床面（床仕上げ面）９にするまで自重下降して略全体が垂直面に沿った略平板状となって、開口部２を閉鎖する。また、開閉体７は、開口部２の開口時には、巻体５の巻取りにより下端部が収容ケース体４に当接するまで上昇して略全体が収容ケース体４内で略円筒状となって、開口部２を開口させる。
【００２０】
なお、開閉体７の上昇は操作者が手動操作で行うが、巻体５に内蔵されたばねが開閉体７を巻取り方向に付勢するため、操作者は開閉体７を容易に上昇させることができる。
【００２１】
ここで、開閉体７は、上端部が巻体５の外周面部に取り付けられた略面状で可撓性の開閉本体部11と、この開閉本体部11の下端部にこの下端部に沿って取り付けられ開閉体７の下端部を構成し開口部２の閉鎖時に下面が床面９に当接する左右方向長手状の当接部である重錘部（座板）12とを有している。
【００２２】
開閉本体部11は、例えばガラスクロス、シリカクロス等からなる不燃性の布地にて略矩形状に形成され、この開閉本体部11の左右方向両端部が本体挿入部13となっている。また、重錘部12は、例えば不燃性の金属材料にて左右方向長手状に形成され、この重錘部12の長手方向両端部が略板状の重錘挿入部である重錘挿入板部14となっている。なお、本体挿入部13および重錘挿入板部14にて、案内体３内に挿入される開閉体７の挿入部６が構成されている。
【００２３】
そして、開閉体７の左右両側の挿入部６の下端部、つまり重錘部12の重錘挿入板部14の一面側である前面側には、例えば金属製の磁性体16が突出状に固設されている。各磁性体16は、例えば断面略Ｌ字状のもので、重錘挿入板部14の一面である前面に取り付けられた垂直面状の取付板部17を有し、この取付板部17の下端部からは水平面状の突出板部18が前方に向って一体に突出している。
【００２４】
一方、開閉体７の昇降の際にこの開閉体７の挿入部６を案内する各案内体３は、開口部２側に向って開口した横断面コ字状で上下方向長手状の案内本体部21と、この案内本体部21の開口部２側の各端部内面側に一体に突設され所定の挿通間隙22を介して互いに離間対向して位置する横断面Ｌ字状で上下方向長手状の前後一対の突部23とを有している。
【００２５】
案内本体部21は、互いに離間対向した前後一対の対向板25を有し、これら両対向板25の反開口部２側の各端部相互が連結板26にて連結されている。また、各突部23は、案内本体部21の対向板25の開口部２側の端部から内方に向って突出した第１突出板27を有し、この第１突出板27の先端部からは第２突出板28が反開口部２側に向って突出している。
【００２６】
そして、左右両側の案内体３の各下端部は、埋設部30として床面９下に埋設されており、この埋設部30の内面側には、開口部２の閉鎖時に対応する磁性体16に吸着する磁石体（例えば永久磁石等）31がその全体が収容された状態で上下方向に移動調節可能に設けられている。
【００２７】
各磁石体31は、例えば案内体３の埋設部30の前側の対向板25に形成された上下方向の複数の長孔33に挿通された取付具である取付ビス34によって、その埋設部30の対向板25に対して上下方向に移動調節可能、つまり案内体３の対向板25に対して高さ位置調節可能に取り付けられている。そして、図４に示されるように、各磁石体31は、上下方向の移動調節によりその上面が床面９と略同一面上に位置する適正位置に固定されている。
【００２８】
なお、案内体３の挿通間隙22の幅寸法は、開閉体７の重錘部12の重錘挿入板部14の厚さ寸法と略等しい値となっている。開閉体７の重錘部12の重錘挿入板部14は、磁性体16と案内体３の前側の突部23との係合により、案内体３内から開口部２側へ抜け出ないようになっている。また、開閉体７の開閉本体部11の本体挿入部13は、抜止めボルトや抜止めワイヤ等の抜止め手段（図示せず）と案内体３の前後の突部23との係合により、案内体３内から開口部２側へ抜け出ないようになっている。
【００２９】
次に、上記開閉装置１の作用等について説明する。
【００３０】
例えば火災が発生すると、開閉体７が重錘部12および左右両側の磁性体16の重量によりスムーズに自重下降し、開閉体７の下端部である重錘部12の下面が床面９に当接して、開口部２が開閉本体部11および重錘部12にて閉鎖される。
【００３１】
また、開閉体７の重錘部12の下面が床面９に当接すると同時に、磁性体16の突出板部18の下面が床面９下に埋設された埋設部30内に位置する磁石体31の上面に当接し、磁石体31の上面が磁性体16の突出板部18の下面に吸着する。
【００３２】
そして、開閉体７側の左右の磁性体16に案内体３側の左右の磁石体31がくっつくため、開閉体７を持ち上げるようとする熱風等による風圧が開閉体７に作用しても、開閉体７は上昇せず、開閉体７の下端部の重錘部12は床面９から浮き上がらない。また、開閉体７の左右の挿入部６が案内体３内から抜け出るようなこともなく、開口部２の閉鎖状態が保持される。
【００３３】
このように、開閉装置１によれば、開口部２の閉鎖時に案内体３側の磁石体31を開閉体７側の磁性体16にしっかりと吸着させることで開口部２の閉鎖状態を適切に保持できるばかりでなく、構造の簡素化を図ることができ、よって組立て作業、メンテナンス等を容易にでき、製造コストも低減でき、また開閉体７の操作性も良好である。
【００３４】
また、案内体３側の磁石体31を案内体３に対して上下方向に移動調節、つまり案内体３に対して高さ位置調節することにより、磁石体31を適正位置に位置合わせ固定でき、よって案内体３側の磁石体31を開閉体７側の磁性体16に適切に吸着させることができ、開口部２が不用意に開口するのを防止できる。
【００３５】
なお、磁性体16に吸着する磁石体31は、案内体３の床面９下の埋設部30の内側に設けられたものには限定されず、図５に示すように、案内体３の床面９上の下端部内側に設けられたもの等でもよい。なお、図５に示す磁性体16は、重錘挿入板部14に取り付けられた垂直面状の取付板部17と、この取付板部17の上端部から突出した水平面状の突出板部18とを有している。
【００３６】
また、開閉装置１は、磁性体16が開閉体７に設けられかつ磁石体31が案内体３に設けられた構成には限定されず、例えば図示しないが、磁性体16を案内体３に設けるとともに磁石体31を開閉体７に設けた構成としてもよい。
【００３７】
さらに、開閉装置１は、磁石体31のみが開閉体７の移動方向である上下方向に移動調節可能となっている構成には限定されず、磁性体16および磁石体31の少なくとも一方が開閉体７の移動方向に移動調節可能となっている構成であればよい。
【００３８】
また、開閉装置１は、磁性体16および磁石体31を左右両側に備えた構成には限定されず、磁性体16および磁石体31を左右いずれか一方側のみに備えた構成でもよい。
【００３９】
さらに、開口部２の閉鎖時に開閉体７の下端部（当接部である重錘部12）が床面９に当接する構成には限定されず、開閉体７の下端部が地面に当接する構成や、開閉体７の下端部が案内体３間の下枠体に当接する構成等でもよい。
【００４０】
また、開閉装置１は、自重下降のものには限定されず、手動式やモータ等の駆動手段で開閉体７を昇降させる電動式等でもよい。
【００４１】
さらに、磁石体31が吸着する磁性体16は、予め着磁された磁石であってもよい。
【００４２】
また、開閉装置１は、耐火スクリーン装置として説明したが、他のシャッタ装置、ロールスクリーン装置等であってもよく、防火防煙性能の有無も問わない。また、開閉装置１をシャッタ装置とした場合の開閉体は、スクリーン材、スラット、パネル、パイプ、ネット、或いはこれらの複合など任意な材料にて構成される。
【図面の簡単な説明】
【００４３】
【図１】本発明の開閉装置の一実施の形態を示す斜視図である。
【図２】同上開閉装置の要部を示す正面図である。
【図３】同上開閉装置の要部を示す平面視断面図である。
【図４】図３におけるＩＶ−ＩＶ断面図である。
【図５】本発明の開閉装置の他の実施の形態の要部を示す断面図である。
【符号の説明】
【００４４】
１    開閉装置
２    開口部
３    案内体
６    挿入部
７    開閉体
16    磁性体
31    磁石体
【図１】
2005126952.tif 000003
【図２】
2005126952.tif 000004
【図３】
2005126952.tif 000005
【図４】
2005126952.tif 000006
【図５】
2005126952.tif 000007